(57)【要約】【課題】  精巧で高価な給電装置が不要であるとともに、消耗や破損が生じにくい画像表示装置を提供すること。【解決手段】  パチンコ機１０に、複数の発光部２０ｂと、複数の発光部２０ｂに対応する複数の貫通孔３３が周面部３１ａに形成され回転することにより周面部３１ａに画像Ｂを表示する回転筒３１と、回転筒３１を回転させるステッピングモータ２６と、複数の発光部２０ｂの発光状態を制御する駆動回路２３ａと制御装置３８とを備えた画像表示装置Ａを設けた。そして、複数の発光部２０ｂ、ステッピングモータ２６および駆動回路２３ａは、パチンコ機１０の本体に連結された静止支持部２１に設置し、制御装置３８は、パチンコ機１０の本体に設置した。【選択図】  図２
2014171508.tif 000002
【特許請求の範囲】
【請求項１】
所定の装置の本体に連結された静止支持部と、
一方向に並んで前記静止支持部に設置された複数の発光部と、
前記複数の発光部にそれぞれ対応する複数の貫通孔が形成され、前記複数の発光部にそれぞれ前記複数の貫通孔が対向できるようにして回転することにより前記複数の貫通孔が形成された面に画像を表示できる回転体と、
前記所定の装置の本体および前記静止支持部の少なくとも一方に設けられ前記回転体を回転させる駆動装置と、
前記所定の装置の本体および前記静止支持部の少なくとも一方に設けられ前記回転体の回転に応じて前記複数の発光部の発光状態を制御する制御部と
を備えたことを特徴とする画像表示装置。
【請求項２】
前記回転体に、回転方向に間隔を保って複数のスリットが形成された被検出部を設けるとともに、前記静止支持部に前記被検出部のスリットを検出するセンサを設け、前記センサが検出するスリットの位置に応じて前記制御部が前記発光部の発光状態を制御するようにした請求項１に記載の画像表示装置。
【請求項３】
前記発光部を、前記回転体の回転方向に沿って延びる導光部と、前記導光部の端部に設置されて前記導光部に対して光を発生する発光装置と、前記導光部における前記回転体に対向する面以外の面に設けられた遮光部とで構成した請求項１または２に記載の画像表示装置。
【請求項４】
前記遮光部を、シート状の反射部材または前記導光部にアルミニウムを真空蒸着して形成された蒸着薄膜で構成した請求項３に記載の画像表示装置。
【請求項５】
前記複数の貫通孔で貫通孔列を構成し、前記貫通孔列を前記回転体の回転方向に間隔を保って複数列形成した請求項１ないし４のうちのいずれか一つに記載の画像表示装置。
【発明の詳細な説明】
【技術分野】
【０００１】
本発明は、回転体の表面に所定の画像を表示することができる画像表示装置に関する。
【背景技術】
【０００２】
従来から、パチンコ機やスロットマシン等の遊技機の中には、バーサライタからなる画像表示装置を備えたものがある。この画像表示装置では、画像表示面に所定の画像を表示することが行われており、これによって、遊技者は、入賞の有無、リーチおよび通常モードや大当たり状態のような種々の遊技状態を知ることができる（例えば、特許文献１参照。）。
【０００３】
この遊技機が備える画像表示装置（図柄表示装置）は、断面形状が半円弧状に膨出した表示面を構成する膨出部を有するケーシンクの内部に、回転軸を中心に回転する表示体取付部材を配設するとともに、表示体取付部材に図柄を表示するための表示体を配設して構成されている。また、表示体は回転方向に９０°の間隔を保って配置された取付翼部の先端面に発光ダイオードを取り付けて構成されている。そして、この画像表示装置は、表示体を含む表示体取付部材をパルスモータの駆動によって回転軸を中心に回転させながら、各発光ダイオードを所定の位置、所定のタイミングで点灯したり消灯したりすることにより、膨出部に所定の図柄を表示する。
【先行技術文献】
【特許文献】
【０００４】
【特許文献１】特開平９−２０１４６１号公報
【発明の概要】
【０００５】
しかしながら、前述した画像表示装置では、パルスモータの駆動によって高速回転する表示体取付部材の内部に、表示図柄データを記憶したＲＯＭや発光ダイオードを点灯するための駆動回路を備えた制御基板が設けられている。このため、外部の給電装置から表示体取付部材の内部に設けられた各装置に給電するための給電装置として、スリップリングや電磁誘導方式等を用いた精巧で高価な装置が必要になる。また、表示体取付部材が高速回転することによって、表示体取付部材の内部に設けられた各装置やそれらを支持する部分に消耗や破損が生じやすくなるという問題もある。
【０００６】
本発明は、前述した問題に対処するためになされたもので、その目的は、精巧で高価な給電装置が不要であるとともに、消耗や破損が生じにくい画像表示装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る画像表示装置（Ａ）の構成上の特徴は、所定の装置（１０）の本体に連結された静止支持部（２１）と、一方向に並んで静止支持部に設置された複数の発光部（２０ｂ）と、複数の発光部にそれぞれ対応する複数の貫通孔（３３）が形成され複数の発光部にそれぞれ複数の貫通孔が対向できるようにして回転することにより複数の貫通孔が形成された面（３１ａ）に画像（Ｂ）を表示できる回転体（３１）と、所定の装置の本体および静止支持部の少なくとも一方に設けられ回転体を回転させる駆動装置（２６）と、所定の装置の本体および静止支持部の少なくとも一方に設けられ回転体の回転に応じて複数の発光部の発光状態を制御する制御部（２３ａ，３８）とを備えたことにある。
【０００８】
本発明に係る画像表示装置では、一方向に並んで静止支持部に設置された複数の発光部に対して、複数の貫通孔をそれぞれ対向させて回転体を回転させるようにしている。このため、回転体の回転により移動する複数の貫通孔の位置に応じて、それぞれ複数の貫通孔に対応する発光部の発光状態を変更することにより、回転体の表面に任意の画像を残像作用によって表示することができる。また、本発明に係る画像表示装置では、回転体における複数の貫通孔が形成された面を画像が表示される面とし、発光部を静止支持部に設けるとともに、回転体を回転させる駆動装置および回転体の回転に応じて発光部の発光状態を制御する制御部を所定の装置の本体および静止支持部の少なくとも一方に設けている。
【０００９】
このため、発光部、駆動装置、制御部およびそれらに給電するための給電装置は、回転体でなく静止支持部から所定の装置の本体にかけての部分に設けるようになる。この結果、給電装置としては、配線を介して発光部や駆動装置等に給電できる安価な装置を用いることができる。また、回転体の回転が画像表示装置を構成する各装置およびそれらの取付構造に影響を及ぼすことは殆どないため、回転体の回転によって、画像表示装置に消耗や破損が生じやすくなることはない。また、本発明に係る所定の装置は、パチンコ機やスロットマシン等の遊技機であることが好ましい。さらに、本発明に係る発光部の発光状態とは、点灯、消灯の他、光の色や輝度も含む状態である。
【００１０】
また、本発明に係る画像表示装置の他の構成上の特徴は、回転体に、回転方向に間隔を保って複数のスリット（３２ａ）が形成された被検出部（３２）を設けるとともに、静止支持部に被検出部のスリットを検出するセンサ（２７）を設け、センサが検出するスリットの位置に応じて制御部が発光部の発光状態を制御するようにしたことにある。
【００１１】
本発明によると、センサが検出するスリットの位置に応じて発光部の発光状態を変化させるため、スリットの位置と回転体の貫通孔の位置とを対応させておくことにより、貫通孔が所定の位置にあるときに、その貫通孔に対応する発光部から所定の色や輝度を備えた光を正確に発生させることができる。このため、画像表示面に表示される画像を鮮明なものにすることができる。
【００１２】
被検出部としては、例えば、リング状部材の一方側の周縁部に円周に沿って一定間隔形成された凹部からなるスリットが形成されたものを用い、センサとしては、発光部と受光部とを備えたフォトセンサを用いることが好ましい。この場合、フォトセンサの発光部と受光部との間に、リング状部材の一方側の周縁部を位置させる。これによると、リング状部材のスリットがない部分がフォトセンサに位置しているときには、発光部の発光を受光部が受けることができず、リング状部材のスリットの部分がフォトセンサに位置しているときには、発光部の発光を受光部が受けることからスリットを検出することができる。
【００１３】
また、本発明に係る画像表示装置のさらに他の構成上の特徴は、発光部を、回転体の回転方向に沿って延びる導光部（２４）と、導光部の端部に設置されて導光部に対して光を発生する発光装置（２２）と、導光部における回転体に対向する面以外の面に設けられた遮光部（２５，２５ａ，２５ｂ）とで構成したことにある。
【００１４】
本発明によると、導光部が回転体の回転方向に沿って延びるようにしているため、回転体の回転方向における長い範囲に対して発光できる。このため、回転体の貫通孔が光を導く導光部に対して対向できる時間が長くなり、回転体を高速回転させても発光装置の発光状態を容易に制御できるようになる。また、導光部における回転体に対向する面以外の面には遮光部が設けられているため、隣接する発光部の発光が互いに干渉しあうことを防止できる。これによって、鮮明な画像が得られる。また、発光装置としては、任意の色の光を発光できるとともに、輝度を変更できるフルカラータイプのＬＥＤを用いることが好ましい。さらに、発光装置は、導光部の一方の端部にだけ設置してもよいし、導光部の両端部にそれぞれ設置してもよい。
【００１５】
また、本発明に係る画像表示装置のさらに他の構成上の特徴は、遮光部を、シート状の反射部材（２５，２５ａ，２５ｂ）または導光部にアルミニウムを真空蒸着して形成された蒸着薄膜で構成したことにある。
【００１６】
シート状の反射部材としては、紙やプラスチックからなる発泡シート等を用いることができる。この場合、遮光部による光の反射率を極めて高いものにすることができるため、隣接する発光部の発光が互いに干渉することをより確実に防止できる。また、アルミニウムを真空蒸着して形成される蒸着薄膜を用いた場合には、遮光部の厚みを小さくすることができるため、画像表示装置を小型化することができる。
【００１７】
また、本発明に係る画像表示装置の他の構成上の特徴は、回転体（３１）を円筒状に形成して、複数の発光部（２０ｂ）を回転体の軸方向に並べて回転体の内部に設置するとともに、複数の発光部がそれぞれ回転体の回転方向の半部以下の所定の部分に対向するようにし、回転体の外周面（３１ａ）における複数の発光部に対応する部分を画像表示面（Ｂ’）にしたことにある。
【００１８】
本発明によると、画像表示装置が取り付けられる所定の装置をパチンコ機やスロットマシン等の遊技機のように画像表示面を前方からだけ見る装置とした場合に好適な画像表示装置を得ることができる。この場合、回転体の外周面に形成される画像表示面を前方に向けて画像表示装置を所定の装置の表面に取り付けるため、画像表示面の広さとしては、前方から見える範囲でよい。このため、画像表示面の範囲は回転体の外周面の回転方向の半部以下、例えば、１／１０〜１／２程度にすることが好ましい。また、回転体の外周面が前方に突出することを抑えて見えやすい画像を得るためには、回転体の画像表示面の範囲は回転体の外周面の回転方向の１／５程度にすることがより好ましい。
【００１９】
なお、本発明の場合、複数の貫通孔は、回転体の軸方向に平行して形成され、複数の発光部は、それぞれが、回転体の内周面に対向し、回転体の回転方向に画像表示面の長さとして設定する長さと略同じ長さだけ延びた状態で回転体の軸方向に並んで配置される。このため、複数の発光部における回転体の回転方向に対応する長さは、画像表示面の周方向の長さに略対応した長さになり、複数の発光部における回転体の回転方向に対応する長さを変更することによって、画像表示面の周方向の長さを変更することができる。
【００２０】
また、本発明に係る画像表示装置のさらに他の構成上の特徴は、複数の貫通孔で貫通孔列（３３ａ，３３ｂ，３３ｃ，３３ｄ，３３ｅ）を構成し、貫通孔列を回転体の回転方向に間隔を保って複数列形成したことにある。
【００２１】
本発明によると、回転体の回転数を少なくすることができる。貫通孔列を一列だけ形成した場合には、複数の発光部が発生する光が貫通孔列を通過し、複数の発光部が発生する光がつぎに貫通孔列を通過するまでに、回転体は１回転近く回転しなければならないが、貫通孔列を回転体の回転方向に複数列形成することによって、回転体が１回転する間に複数回貫通孔列に光を通過させることができる。このため、貫通孔列を多くした分回転体の回転数を少なくすることができ、これによって、駆動装置に係る負担を軽減することができる。
【図面の簡単な説明】
【００２２】
【図１】本発明の一実施形態に係る画像表示装置を備えたパチンコ機を示した正面図である。
【図２】画像表示装置を示した斜視図である。
【図３】画像表示装置の分解斜視図である。
【図４】画像表示装置の静止部を示した斜視図である。
【図５】図４に示した静止部の分解斜視図である。
【図６】基板に組み付けられた発光部を示した斜視図である。
【図７】画像表示装置の回転部を示した斜視図である。
【図８】画像表示装置を斜めから見た状態の要部を示した断面図である。
【図９】図８の画像表示装置の要部を示した断面図である。
【図１０】画像表示装置の概略を示した構成図である。
【図１１】スリットとステップとの関係を示した説明図である。
【図１２】フルカラーＬＥＤの点滅状態を示したフローチャートである。
【図１３】画像の一例を示した図である。
【図１４】図１３に示した画像に対応するフルカラーＬＥＤの点滅位置および状態を示した表である。
【発明を実施するための形態】
【００２３】
以下、本発明の一実施形態を図面を用いて説明する。図１は同実施形態に係る画像表示装置Ａを備えたパチンコ機１０を示している。パチンコ機１０の表面における遊技領域１１の中央には液晶画面１２が設けられており、この液晶画面１２の上方に画像表示装置Ａが設置されている。液晶画面１２は、演出効果を発揮するための画像を表示し、画像表示装置Ａは、液晶画面１２に連動して作動して遊技状態を表すための簡単な図柄、文字、数字等を表示する。
【００２４】
また、パチンコ機１０の表面における遊技領域１１の下方には、遊技球（図示せず）を一旦溜めて順次発射位置に供給する上皿１３と、上皿１３から間隔を保って１個ずつ供給される遊技球を遊技領域１１内に向けて発射するハンドル１４を含む球発射装置とが左右に並んで設けられている。そして、上皿１３の下方には、遊技球を溜めるための下皿１５が設けられている。さらに、遊技領域１１における液晶画面１２の下方に２つの入賞装置１６，１７とアウト口１８とが、前述した順に、上方から下方に間隔を保って設けられている。
【００２５】
入賞装置１６は、いわゆるチャッカーを構成する入賞口であり、入賞装置１６内に遊技球が入ると所定数の賞球が、パチンコ機１０の裏面上部に設置された上タンクから上皿１３に送られる。また、入賞装置１７は、いわゆるアタッカーを構成する入賞口であり、「大当たり」の際に、所定時間開閉することにより遊技球を入賞し易くする。アウト口１８は、入賞装置１６，１７に入らなかった遊技球を通過させてパチンコ機１０の下方に設置された回収タンクに送るためのゲート穴である。
【００２６】
画像表示装置Ａは、図２および図３に示したように、静止部２０と回転部３０とで構成されており、固定用フレーム１９を介してパチンコ機１０の本体に組み付けられている。静止部２０は、図４および図５に示したように、静止支持部２１、本発明に係る発光装置としての複数のフルカラーＬＥＤ２２がそれぞれ設置された一対の基板２３、本発明に係る導光部としての複数の導光板２４、本発明に係る遮光部としての複数のリフレクター２５，２５ａ，２５ｂ、本発明に係る駆動装置としてのステッピングモータ２６、本発明に係るセンサとしてのフォトセンサ２７および一対の発光部押さえ部材２８を備えている。なお、以下の画像表示装置Ａの説明においては、上下、左右、前後の各方向は、図２に基づくものとし、図２において複数の点で示した画像Ｂは上下方向の中央で前方を向いているものとする。
【００２７】
静止支持部２１は、発光部取付部２１ａとモータフレーム部２１ｂとからなっており、発光部取付部２１ａにはセンサ取付部２１ｃが設けられている。発光部取付部２１ａは、側方から見た形状が円弧状の枠に形成され、前方（図５の状態では右側）から見た形状が左右の幅よりも上下の長さの方が長い長方形に形成された本体部分２１ｄと、本体部分２１ｄの前面の左右の円弧状の両縁部からそれぞれ平行して前方に向かって突出した側面視が円弧状の一対の壁部２１ｅとで形成されている。また、本体部分２１ｄの内部左側部分は壁部によって上下に３分割されており、その上部に形成された空間に略平行して内部側から左開口に向かって延びる一対の壁部が形成されている。この一対の壁部でセンサ取付部２１ｃが構成されている。そして、本体部分２１ｄの上面と下面とのそれぞれ前部側の左右両側には、上下に貫通する短い筒状のねじ穴２１ｆが形成されている。
【００２８】
モータフレーム部２１ｂは、本体部分２１ｄの後面右側における上下方向の中央から後方に延び、右側後部が開口した前後に長い矩形の箱状に形成されている。モータフレーム部２１ｂの左側面の後部側には左右に貫通するモータ位置決め穴２１ｇが形成され、そのモータ位置決め穴２１ｇの周囲には左右に貫通する４つのねじ挿通穴２１ｈが一定間隔で形成されている。そして、静止支持部２１の発光部取付部２１ａには、後述する発光部集合体２０ａが取り付けられ、モータフレーム部２１ｂの後部には、ステッピングモータ２６が取り付けられ、センサ取付部２１ｃには、フォトセンサ２７が取り付けられる。
【００２９】
発光部集合体２０ａは、フルカラーＬＥＤ２２が設置された一対の基板２３、複数の導光板２４、および複数のリフレクター２５，２５ａ，２５ｂを組み付けて構成されている（図６参照）。なお、図６は、フルカラーＬＥＤ２２、導光板２４およびリフレクター２５，２５ａを組み付けた状態（発光部２０ｂの要部）を示したもので、リフレクター２５ｂは図示されてなく、導光板２４およびリフレクター２５はともに１枚だけ図示されている。フルカラーＬＥＤ２２は、赤、緑、青の３つのＬＥＤを一つのパッケージに封印して形成されたもので、３つのＬＥＤの明るさを変えることにより無限の色の光を発生できるものである。このフルカラーＬＥＤ２２は３個が一組となって、各基板２３に２０組ずつ設置されている。
【００３０】
基板２３は、それぞれ前部側が略四角で後部側が後方が幅狭になった台形に形成された左右の幅よりも前後にかけての長さが長い板で構成されており、互いに向き合った状態の外側の面にそれぞれ駆動回路２３ａ（図１０参照）が形成されている。さらに、図示は省略するが、一対の基板２３には、それぞれＩＣ、抵抗器、コンデンサ等からなる複数の電子部品も装着されており、これらの電子部品も駆動回路２３ａに含まれる。各フルカラーＬＥＤ２２はそれぞれ駆動回路２３ａに接続されている。一組のフルカラーＬＥＤ２２は、一対の基板２３の対向面の前端側にそれぞれ前後に並んで設置され、前後に配置された一組のフルカラーＬＥＤ２２が左右に２０列並んで設置されている。また、一対の基板２３におけるフルカラーＬＥＤ２２が設置された部分の少し後方の左右両側には、それぞれねじ挿通孔２３ｂが形成されている。
【００３１】
導光板２４は、静止支持部２１の壁部２１ｅと略同形の円弧状の板部材で構成されており、円弧状の凸面（前面）の上下両端にそれぞれ側方から見た縁部の形状がＬ形になった切欠き部２４ａが形成されている。この導光板２４は、図６に示したように、長手方向の両端部をそれぞれ３個一組のフルカラーＬＥＤ２２に対向させて一対の基板２３に組み付けられており、同形同大の２０枚のものが左右方向に一定間隔で設けられている。この導光板２４は、透明のアクリル樹脂からなる成形体で構成されており、フルカラーＬＥＤ２２が発生する光を両端面から受光して均一な状態で中央側に導く。
【００３２】
リフレクター２５は、導光板２４と側面形状が同一で、導光板２４よりも厚みが薄いシート部材で構成されており、円弧状の凸面（前面）の上下両端にそれぞれ側方から見た縁部の形状がＬ形になった切欠き部が２５ｃが形成されている。リフレクター２５は、各導光板２４の間および両側の導光板２４の外面に互いの側面どうしを合わせて設置されており、同形同大の２１枚のものが左右方向に設けられている。このリフレクター２５は、乳白色に着色された発泡プラスチックシートで構成されており、導光板２４を通る光が照射されると、その光を反射して、光が導光板２４の側面から外部に進むことを防止する。
【００３３】
リフレクター２５ａは、２０枚の導光板２４と２１枚のリフレクター２５とが組み付けられたときの切欠き部２４ａおよび切欠き部２５ｃに沿える断面形状がＬ形の細長いシート部材で構成されており、組み付けられた導光板２４とリフレクター２５との上下の切欠き部２４ａ，２５ｃにそれぞれ設置されている。この一対のリフレクター２５ａもリフレクター２５と同様、乳白色の発泡プラスチックシートで構成されており、導光板２４を通る光が切欠き部２４ａから外部に進むことを防止する。
【００３４】
リフレクター２５ｂは、２０枚の導光板２４と２１枚のリフレクター２５とが組み付けられたときの後面に沿える長方形の１枚のシート部材で構成されており、組み付けられた導光板２４とリフレクター２５との後面に沿って湾曲した状態で設置される。このリフレクター２５ｂもリフレクター２５，２５ａと同様、乳白色の発泡プラスチックシートで構成されており、導光板２４を通る光が照射されると、その光を反射して、光が導光板２４の後面から外部に進むことを防止する。
【００３５】
このようにして組み付けられた発光部集合体２０ａは、左右両側のリフレクター２５を両壁部２１ｅの内面にそれぞれ合わせ、リフレクター２５ｂを発光部取付部２１ａの本体部分２１ｄの前面に合わせるとともに、一対の基板２３をそれぞれ本体部分２１ｄの上部と下部との外側の面に合わせて静止支持部２１に組み付けられている。また、これらを組み付けたときに、一対の基板２３のねじ挿通孔２３ｂはそれぞれ本体部分２１ｄのねじ穴２１ｆに対向する。なお、３個一組からなるフルカラーＬＥＤ２２の一対と、１枚の導光板２４と、１枚の導光板２４の周囲に位置するリフレクター２５，２５ａ，２５ｂとでそれぞれ発光部２０ｂが構成される。
【００３６】
ステッピングモータ２６は、モータフレーム部２１ｂ内の後部に収容できる矩形のモータ本体２６ａと、モータ本体２６ａの左側面中央から左側に突出する回転軸２６ｂとで構成されており、モータ本体２６ａの左側面における角部近傍にはねじ穴２６ｃがそれぞれ形成されている。また、モータ本体２６ａの左側面における回転軸２６ｂの周囲には、リング状の凸部からなる位置決め凸部２６ｄが形成されている。そして、ステッピングモータ２６は、回転軸２６ｂおよび位置決め凸部２６ｄをモータ位置決め穴２１ｇに通した状態でモータフレーム部２１ｂ内の後部に収容され、ねじ挿通穴２１ｈにねじ２１ｉを挿通させて、そのねじ２１ｉをねじ穴２６ｃに螺合させることによりモータフレーム部２１ｂに固定されている。また、回転軸２６ｂの周面の一部には軸方向に延びる平面部が形成され、これによって回転軸２６ｂの断面形状は略Ｄ形になっている。
【００３７】
ステッピングモータ２６の回転軸２６ｂには、ステッピングモータ２６に回転部３０を連結するための円板状のモータハブ２９が取り付けられている。このモータハブ２９の中央には、左右にそれぞれ突出する位置決め用突部２９ａが形成され、位置決め用突部２９ａの中央に左右に貫通する連結穴２９ｂが形成されている。また、モータハブ２９の外周部には周方向に一定間隔で左右に貫通する３つの固定ねじ穴２９ｃが形成され、モータハブ２９の外周面と連結穴２９ｂの内周面との間には締付ねじ穴２９ｄが形成されている。このモータハブ２９は、連結穴２９ｂに回転軸２６ｂを通して、モータフレーム部２１ｂの左側面側に回転可能に配置されている。また、締付ねじ穴２９ｄにはねじ（図示せず）が螺合しており、このねじの先端部を回転軸２６ｂの周面の平面部に圧接することにより、モータハブ２９は、回転軸２６ｂに対して回転することを防止され、回転軸２６ｂとともに回転する。
【００３８】
フォトセンサ２７は、発光素子２７ａと受光素子２７ｂとを備えコ字状に形成されたセンサで構成されており、発光素子２７ａと受光素子２７ｂとを突出させて四角板状の取付板２７ｃに取り付けられている。また、取付板２７ｃは、本体部分２１ｄの左側上部に形成された空間に挿入できる大きさに形成されており、フォトセンサ２７の発光素子２７ａと受光素子２７ｂとを前後に位置させて本体部分２１ｄから突出させた状態でねじ（図示せず）によってセンサ取付部２１ｃに固定されている。フォトセンサ２７は、発光素子２７ａと受光素子２７ｂとの間に検出物が位置して発光素子２７ａの発光を受光素子２７ｂが受光できないときに検出物を検出し、発光素子２７ａの発光を受光素子２７ｂが受光したときに検出物がないことを検出する。
【００３９】
一対の発光部押さえ部材２８のうちの一方の発光部押さえ部材２８は、発光部取付部２１ａに取り付けられた発光部集合体２０ａの上部を覆える形状に形成され、他方の発光部押さえ部材２８は、発光部取付部２１ａに取り付けられた発光部集合体２０ａの下部を覆える形状に形成されている。各発光部押さえ部材２８は、平面状本体２８ａと、平面状本体２８ａの周縁部における左右両側と前部にわたって形成された周壁部２８ｂとで構成されており、平面状本体２８ａの前後中央の左右両側にそれぞれねじ挿通穴２８ｃが形成されている。また、上方に配置される発光部押さえ部材２８の周壁部２８ｂの前部は左右部分よりも下方に突出し、下方に配置される発光部押さえ部材２８の周壁部２８ｂの前部は左右部分よりも上方に突出している。
【００４０】
このように形成された一対の発光部押さえ部材２８は、それぞれ周壁部２８ｂの突出部分をリフレクター２５ａの凹部に合わせ、リフレクター２５ａを含む発光部集合体２０ａの前面の上下両端側部分を覆った状態で、発光部集合体２０ａが取り付けられた発光部取付部２１ａの上下面に配置されている。そして、ねじ２８ｄをねじ挿通穴２８ｃから基板２３のねじ挿通孔２３ｂに通し、発光部取付部２１ａのねじ穴２１ｆに螺合させることにより、一対の発光部押さえ部材２８は発光部集合体２０ａが取り付けられた発光部取付部２１ａに組み付けられる。これによって、発光部集合体２０ａが、静止支持部２１から外れることが防止される。
【００４１】
また、前述した固定用フレーム１９は、発光部取付部２１ａの右側の壁部２１ｅの前部側の縁部に沿える円弧状の前端縁を備えた板状部材で構成されており、この固定用フレーム１９の後方下部には配線を通すための配線挿通穴１９ａが形成され、後端と下端の縁部には折れ曲がって右側に突出する固定片１９ｂが形成されている。また、固定用フレーム１９の全体にわたってねじ１９ｄを通すための複数のねじ穴１９ｃが形成されている。静止部２０は、静止支持部２１の右側面に固定用フレーム１９を固定し、固定用フレーム１９の固定片１９ｂをパチンコ機１０の本体に固定することによって、パチンコ機１０に組み込まれている。
【００４２】
回転部３０は、図７に示したように、本発明に係る回転体としての回転筒３１に、複数のスリット３２ａを備えた本発明の被検出部としてのリング状の割出板３２を取り付けて構成されている。回転筒３１は、中心をステッピングモータ２６の回転軸２６ｂに合わせて回転したときに、発光部集合体２０ａの前面との間に僅かな隙間を設けて静止部２０を被覆できる筒状体で構成されており、周面部３１ａと、周面部３１ａの左開口を塞ぐ取付面部３１ｂとを備えている。周面部３１ａは、外径が２５５ｍｍで、幅が８２ｍｍの円筒状に形成されており、その周方向に一定間隔を保って軸方向に延びる５つの貫通孔列３３ａ，３３ｂ，３３ｃ，３３ｄ，３３ｅが形成されている。各貫通孔列３３ａ〜３３ｅは、それぞれ直径が２ｍｍの貫通孔３３を４ｍｍピッチで２０個形成することによって構成されている。
【００４３】
取付面部３１ｂは、外周側が平面（図８および図９参照）に形成され、中央側が外周側部分よりも中央側部分が周面部３１ａの内部側に窪んだ凹状に形成されており、その中央部にモータハブ２９と略同じ面積の平面状の被連結部３４が形成されている。そして、被連結部３４の中央に左右に貫通し、モータハブ２９の位置決め用突部２９ａが嵌合できる位置決め穴３４ａが形成され、位置決め穴３４ａの周囲に一定間隔で左右に貫通する３つのねじ挿通穴３４ｂが形成されている。このねじ挿通穴３４ｂは、モータハブ２９の固定ねじ穴２９ｃと同じ配置になるようにして形成されている。また、取付面部３１ｂの外周側の平面における凹状部分側には、外部側に突出する断面形状がコ字状の溝部３５が円周に沿って形成されている。
【００４４】
割出板３２は、一方の縁部に複数のスリット３２ａが形成された細長い板をリング状に形成した形状をしており、溝部３５の深さよりも長い幅を備えている。そして、この割出板３２は、図８および図９に示したように、複数のスリット３２ａが形成された部分を溝部３５から突出させた状態で溝部３５の外周側の壁面に固定されている。スリット３２ａは、割出板３２の中心に対して１．８度の間隔で３８個形成されたものを１グループ（図１１参照）として、５グループが円周に沿って等間隔で形成されており、各グループの間にスリットが形成されていない原点部３２ｂが形成されている。
【００４５】
このように構成された回転部３０は、位置決め穴３４ａ内にモータハブ２９の位置決め用突部２９ａを入れ、ねじ挿通穴３４ｂをモータハブ２９の固定ねじ穴２９ｃに対向させた状態で静止部２０に組み付けられる。そして、ねじ３４ｃをねじ挿通穴３４ｂに通し固定ねじ穴２９ｃに螺合させることにより、回転部３０は、モータハブ２９に固定される。これによって、周面部３１ａが発光部集合体２０ａの前面に対向し、フォトセンサ２７の発光素子２７ａと受光素子２７ｂとの間に、割出板３２の複数のスリット３２ａが形成された部分が位置するようになる。また、各導光板２４と、貫通孔列３３ａ〜３３ｅの各貫通孔３３とが回転部３０の回転により対向可能になる位置になる。
【００４６】
画像表示装置Ａは、発光部集合体２０ａの前面を、遊技領域１１に形成された穴部に対向するように位置させた状態でパチンコ機１０の本体に設置されており、前方からは回転筒３１の周面部３１ａの１／５の部分が見えるようになる。そして、この遊技領域１１に形成された穴部内に現れる回転筒３１の周面部３１ａの一部で画像Ｂを表示する画像表示面Ｂ’が構成される。この画像表示面Ｂ’は、左右の幅が８０ｍｍで、上下の長さ（周に沿った長さ）が１５２ｍｍになるように設定されている。
【００４７】
また、画像表示装置Ａには、前述した各装置の他、図１０に示した始動信号発生部３６、指定信号発生部３７および制御装置３８も備わっている。始動信号発生部３６は、例えば、ハンドル１４の近傍に設置されたセンサで構成することができる。この場合、ハンドル１４が回転操作されたときに、ハンドル１４が停止位置から離れたことを始動信号発生部３６が検出しその検出信号を始動信号として制御装置３８に送信するようにする。そして、始動信号を受信した制御装置３８がステッピングモータ２６および駆動回路２３ａを作動させることにより、回転部３０が回転するとともに、フルカラーＬＥＤ２２が点滅して画像表示面Ｂ’に例えば初期画像である画像Ｂが表示されるようにする。
【００４８】
また、指定信号発生部３７は、複数の図柄の中の所定の図柄を表示させるための指定信号を発生する装置で構成する。この場合、指定信号発生部３７に抽選機能を設けて、抽選により所定の数値が指定されたときに、その数値に対応する指定信号が制御装置３８に送信されるようにすることもできる。また、入賞装置１６の近傍に、センサを設置して、このセンサが遊技球を検出したときに、抽選が行われるようにしてもよい。この場合、遊技球が入賞装置１６に入賞すると乱数が発生し、その中から所定の数値が決定されるようにする。そして、これらの数値と図柄とを対応させておき、指定信号発生部３７がこの数値に対応する指定信号を発信することにより抽選された数値に対応する画像Ｂが初期画像である画像Ｂに変わって表示されるようにすることができる。
【００４９】
また、制御装置３８は、ＣＰＵ３８ａ、ＲＯＭ３８ｂ、ＲＡＭ３８ｃおよびタイマ３８ｄを備えている。この制御装置３８は、接続配線を介して、駆動回路２３ａ、ステッピングモータ２６、フォトセンサ２７、始動信号発生部３６および指定信号発生部３７に接続され、さらに、駆動回路２３ａにフルカラーＬＥＤ２２が接続されている。そして、制御装置３８は、フォトセンサ２７、始動信号発生部３６および指定信号発生部３７から送られる信号に基づいてステッピングモータ２６の作動を制御するとともに、駆動回路２３ａを介してフルカラーＬＥＤ２２の点灯、点滅や発光状態を制御する。
【００５０】
ＲＯＭ３８ｂには、ＣＰＵ３８ａが実行するためのプログラムや各種のデータ等が記憶され、ＲＡＭ３８ｃには、ＣＰＵ３８ａによるプログラムの実行時に一時的にデータが記憶される。ＲＡＭ３８ｃが記憶するデータには、フォトセンサ２７の検出値や経過時間等が含まれる。なお、画像表示装置Ａは、ＲＯＭ３８ｂに記憶されたプログラムにしたがって作動する。また、制御装置３８は、パチンコ機１０の筐体を構成する本体に設置されており、この制御装置３８と駆動回路２３ａとで本発明に係る制御部が構成される。
【００５１】
つぎに、回転筒３１の画像表示面Ｂ’に所定の画像Ｂを表示するための画像表示装置Ａの作動について説明する。図１１は、割出板３２のスリット３２ａ、貫通孔列３３ａ，３３ｅ（手前の貫通孔３３のみを図示している。）およびフォトセンサ２７の位置関係を示しており、前述したように、スリット３２ａは、割出板３２の中心に対して１．８度の間隔で３８形成されたものを１グループとしている。このため、ステッピングモータ２６の作動により、回転部３０が、図１１に矢印ａで示した時計周り方向に回転したときに、画像表示面Ｂ’に表示される１コマの画像はステップ１から始まりステップ３８で完了するようにする。
【００５２】
すなわち、図１１に示したように、回転部３０が回転して、割出板３２の原点部３２ｂがフォトセンサ２７の発光素子２７ａと受光素子２７ｂとの間に位置したときに、その位置を原点とする。そして、最初のスリット３２ａ（図１１において発光素子２７ａと受光素子２７ｂとの間に位置しているスリット３２ａ）をフォトセンサ２７が検出してからつぎのスリット３２ａをフォトセンサ２７が検出するまでの間をステップ１とし、その後つぎのスリット３２ａをフォトセンサ２７が検出するまでの間をステップ２として、順次、ステップ３８までの３８段階のステップを設定する。この各ステップは、回転する回転部３０の貫通孔列３３ａの位置に対応するものである。
【００５３】
そして、ステップ１からステップ３８までの各ステップにおいて、順次貫通孔列３３ａが移動する間に、各発光部２０ｂのフルカラーＬＥＤ２２から所定の色の光を点滅させる。この場合、図１２に示したように、フォトセンサ２７が各ステップに対応するスリット３２ａを検出するごとに、フルカラーＬＥＤ２２がその位置に応じた光を点滅する。これによって、図２に示した画像表示面Ｂ’に所定の画像Ｂが表示される。なお、各発光部２０ｂのフルカラーＬＥＤ２２は、３個一組になっているが、ここでは、３個一組のフルカラーＬＥＤ２２は同時に点滅するものとする。また、各発光部２０ｂの両端の一対のフルカラーＬＥＤ２２も同時に点滅するものとする。なお、図１２におけるステップ３９，４０はつぎの原点部３２ｂに対応するステップである。
【００５４】
また、フォトセンサ２７がつぎのグループのスリット３２ａを検出した場合には、最初のステップ１’で発生する光は前述したステップ１で発生した光に重なり、ステップ２’で発生する光はステップ２で発生した光に重なる。このようにして、順次光による像が重なっていき連続した画像Ｂが表示される。この場合、ステップ１’〜３８’は、回転する回転部３０の貫通孔列３３ｂの位置に対応したものになる。
【００５５】
ここで、例として、図１３に示した数字の「７」を画像表示面Ｂ’に表示する場合の各フルカラーＬＥＤ２２の発光状態を数値として図１４に示した。図１４に示した各数値は、データとして、ＲＯＭ３８ｂに記憶されるものである。図１３において、Ｘ１〜Ｘ２０は、図２の画像Ｂにおける左端から右端にかけてのドットの位置を示し、Ｙ１〜Ｙ３８（ステップ１〜３８に対応）は、図２の画像Ｂにおける上端から下端にかけてのドットの位置を示しており、Ｘの列とＹの列とが交差する部分が画像Ｂの各ドットに対応するものである。また、図１４においては、図１３における白色部分を「０」で示し、灰色部分を「１」で示し、黒色部分を「２」で示している。
【００５６】
この場合、まず、回転部３０が回転して、Ｙ１の列に対応する位置に貫通孔列３３ａが位置したときに、すべてのフルカラーＬＥＤ２２から「０」で示した白色光を点灯させる。つぎに、貫通孔列３３ａが移動してＹ２の列に対応する位置に位置したときもすべてのフルカラーＬＥＤ２２から「０」で示した白色光を点灯させる。これを貫通孔列３３ａがＹ４の列に対応する位置に位置するまで繰り返す。そして、貫通孔列３３ａがＹ５およびＹ６の列に対応する位置に位置したときには、すべてのフルカラーＬＥＤ２２から「１」で示した灰色光を点灯させる。
【００５７】
また、貫通孔列３３ａがＹ７の列に対応する位置に位置したときには、左側２組のフルカラーＬＥＤ２２および右側２組のフルカラーＬＥＤ２２から「１」で示した灰色光を点灯させ、他のフルカラーＬＥＤ２２から「２」で示した黒色光を点灯させる。この操作を図１４に示した数値にしたがって貫通孔列３３ａがＹ３８の列に対応する位置に到達するまで行う。これによって、１コマの画像が完成し、図１３に示した数字の「７」が画像表示面Ｂ’に表示される。つぎに、貫通孔列３３ｂ〜３３ｅが、画像表示面Ｂ’の位置に到達し、貫通孔列３３ｂ〜３３ｅが移動する際にも、前述した操作を繰り返した場合には、同じ位置に同じ色の光が重ねられ、数字「７」の静止画像が維持される。
【００５８】
また、画像表示面Ｂ’に連続した動画像Ｂを表示する場合には、図１４に代えて、僅かに変化していく複数の画像に対応する複数の表データを用いる。そして、まず、最初の表データにしたがって前述した貫通孔列３３ａが画像表示面Ｂ’を移動するときの処理を行って最初の画像Ｂを表示する。つぎに、２番目の表データにしたがって貫通孔列３３ｂが画像表示面Ｂ’を移動するときの処理を行って２番目の画像Ｂを表示する。さらに、３番目の表データにしたがって貫通孔列３３ｃが画像表示面Ｂ’を移動するときの処理を行って３番目の画像Ｂを表示するといったように順次処理を行っていく。これによって、画像表示面Ｂ’には連続した画像Ｂが表示される。
【００５９】
この場合、画像Ｂのコマ送りを１秒あたり１６コマにしようとすると、１分間には、１６コマ×６０秒で９６０コマが必要になる。そして、回転筒３１には、貫通孔列３３ａ〜３３ｅの５列の貫通孔列が形成されて、回転筒３１の周面は５分割されているため、９６０コマを５で割った１９２ｒｐｍで回転筒３１を回転させることにより、１秒あたり１６コマの滑らかな画像Ｂが画像表示面Ｂ’に表示される。すなわち、９６０コマに対応する画像データを準備して、回転筒３１を１９２ｒｐｍで回転させることにより、１分間の動画を表示することができる。
【００６０】
このような、画像表示装置Ａの画像表示面Ｂ’への画像Ｂの表示は、遊技者によるパチンコ機１０の操作に応じて行われ、遊技者が上皿１３に遊技球を入れ、ハンドル１４を回転操作することによって開始される。そして、遊技状態に応じて、「リーチ」、「大当たり」等の文字や絵柄等の種々の画像を表示することができる。また、画像表示面Ｂ’に表示される画像Ｂは種々の色彩を備えたものにすることができる。さらに、３個一組のフルカラーＬＥＤ２２のうちの点灯させるものの個数を変更することにより輝度を変更することもできる。
【００６１】
また、各発光部２０ｂにおいては、フルカラーＬＥＤ２２に近い両端側で明るく、フルカラーＬＥＤ２２から遠い中央部分では暗くなる。このため、貫通孔３３が発光部２０ｂの両端側（ステップ１，３８側）に位置しているときには、３個一組のフルカラーＬＥＤ２２のうちの１個を点灯させ、貫通孔３３が発光部２０ｂの中央側（ステップ１９側）に位置しているときには、３個一組のフルカラーＬＥＤ２２のすべてを点灯させ、貫通孔３３が発光部２０ｂの両端側と中央側との間に位置しているときには、２個のフルカラーＬＥＤ２２を点灯させるといったようにして輝度を調節することができる。これによって、全体として輝度が揃った画像Ｂが得られるようになる。さらに、３個一組のフルカラーＬＥＤ２２のそれぞれの輝度を変更することにより、画像Ｂの輝度を調節することもできる。
【００６２】
以上のように、本実施形態に係る画像表示装置Ａでは、パチンコ機１０の遊技領域１１に形成された穴部に対向して設置された静止支持部２１の前面に左右に並べて複数の発光部２０ｂを配置している。そして、回転筒３１に形成された複数の貫通孔３３をそれぞれ複数の発光部２０ｂに対向させて回転部３０を回転させるようにしている。また、発光部集合体２０ａおよび回転部３０を回転させるステッピングモータ２６を静止支持部２１に設け、回転部３０の回転を制御するとともに、回転部３０の回転に応じて発光部２０ｂの発光状態を制御する制御装置３８をパチンコ機１０の本体に設けている。
【００６３】
このため、発光部集合体２０ａやステッピングモータ２６は静止した状態に維持されるようになり、安価な接続配線を介して制御装置３８に接続できる。また、回転部３０の回転が画像表示装置Ａを構成する他の部分に影響を及ぼすことは殆どないため、回転部３０の回転によって、画像表示装置Ａに消耗や破損が生じやすくなることはない。さらに、本実施形態では、回転部３０の貫通孔３３の位置とスリット３２ａの位置とを対応させて、フォトセンサ２７が検出するスリット３２ａの位置に応じて発光部２０ｂの発光状態を変化させるため、貫通孔３３の位置に対応する発光部２０ｂから所定の色や輝度を備えた光を正確に発生させることができる。このため、画像表示面Ｂ’に表示される画像Ｂを鮮明なものにすることができる。
【００６４】
また、本実施形態では、各導光板２４が回転筒３１の回転方向に対して延びるように形成されている。このため、回転筒３１の貫通孔３３が光を導く導光板２４に対して対向できる時間が長くなり、回転部３０を高速回転させてもフルカラーＬＥＤ２２の発光状態を容易に制御できるようになる。また、導光板２４における回転筒３１に対向する面以外の面にはリフレクター２５，２５ａ，２５ｂが設けられているため、隣接する発光部２０ｂの発光が互いに干渉しあうことを防止できる。これによっても、鮮明な画像Ｂが得られる。
【００６５】
さらに、本実施形態では、回転体として筒状の回転筒３１を用いて、その周面部３１ａの回転方向の１／５の部分を画像表示面Ｂ’にしている。このため、画像表示装置Ａは、画像表示面Ｂ’を前方からだけ見るパチンコ機１０に好適なものになる。また、回転筒３１に、一定間隔で、貫通孔列３３ａ，３３ｂ，３３ｃ，３３ｄ，３３ｅを形成したため、回転部３０の回転数を少なくすることができる。これによって、ステッピングモータ２６に係る負担を軽減することができる。
【００６６】
なお、前述した実施形態では、導光板２４の両端にそれぞれフルカラーＬＥＤ２２を組み付けているが、フルカラーＬＥＤ２２は導光板２４の一方の端部だけに組み付けてもよい。また、導光板２４の端部に３個一組のフルカラーＬＥＤ２２を組み付けているが、このフルカラーＬＥＤ２２は、２個でもよいし１個でもよい。さらに、フルカラーＬＥＤ２２に代えて単色のＬＥＤを用いてもよく、この場合、赤、緑、青の単色のＬＥＤを３個一組として用いてもよいし、各導光板２４にそれぞれ１個または上下一対の単色のＬＥＤを組み付けてもよい。さらに、前述した実施形態では、回転筒３１に、５列の貫通孔列３３ａ〜３３ｅを形成しているが、この貫通孔列は、１〜４列でもよいし、６列以上形成してもよい。この場合、画像表示面Ｂ’の大きさは、周面部３１ａの回転方向の１／１０〜１／２程度の範囲で適宜設定する。
【００６７】
本発明に係る画像表示装置は、前述した実施形態に限定するものでなく、適宜変更することができる。例えば、前述した各実施形態では、ステッピングモータ２６を静止部材２１に設けているが、静止部材２１にステッピングモータ２６を取り付けるスペースがない場合には、ステッピングモータ２６をパチンコ機１０の本体側に設けてもよい。また、前述した実施形態では、基板２３に駆動回路２３ａを設けて、この駆動回路２３ａと制御装置３８とで制御部を構成しているが、基板２３には接続用の回路だけを設けて、制御装置３８で制御部を構成するようにしてもよい。
【００６８】
さらに前述した実施形態では、導光板２４をアクリル樹脂で構成しているが、アクリル樹脂以外の樹脂、例えばポリカーボネートで導光板２４を構成してもよい。また、前述した実施形態では、指定信号発生部３７を設けているが、この指定信号発生部３７を省略して、所定時間ごとに、ステッピングモータ２６を作動させるようにしてもよい。さらに、本発明に係る所定の装置としては、パチンコ機１０に限らず、スロットマシンであってもよいし、遊技機以外の装置であってもよい。また、前述した実施形態では、遮光部を、リフレクター２５，２５ａ，２５ｂで構成しているが、これに代えて導光板２４の所定面にアルミニウムを真空蒸着して形成された蒸着薄膜で遮光部を構成してもよい。さらに、本発明に係る画像表示装置のそれ以外の部分の構成についても本発明の技術的範囲内で適宜変更して実施することが可能である。
【符号の説明】
【００６９】
１０…パチンコ機、２０ｂ…発光部、２１…静止支持部、２２…フルカラーＬＥＤ、２３ａ…駆動回路、２４…導光板、２５，２５ａ，２５ｂ…リフレクター、２６…ステッピングモータ、２７…フォトセンサ、３１…回転筒、３２…割出板、３１ａ…周面部、３２ａ…スリット、３３…貫通孔、３３ａ，３３ｂ，３３ｃ，３３ｄ，３３ｅ…貫通孔列、３８…制御装置、Ａ…画像表示装置、Ｂ…画像、Ｂ’…画像表示面。
【図１】
2014171508.tif 000003
【図３】
2014171508.tif 000004
【図４】
2014171508.tif 000005
【図５】
2014171508.tif 000006
【図６】
2014171508.tif 000007
【図７】
2014171508.tif 000008
【図８】
2014171508.tif 000009
【図９】
2014171508.tif 000010
【図１０】
2014171508.tif 000011
【図１１】
2014171508.tif 000012
【図１２】
2014171508.tif 000013
【図１４】
2014171508.tif 000014
【図２】
2014171508.tif 000015
【図１３】
2014171508.tif 000016